(57)【要約】【課題】空間を分割して使用する場合において、空間の分割の仕方に応じて照明器具と子機とを容易に対応付けることを可能とした照明システムを提供する。【解決手段】親機１は、信号線４を介して照明器具３に調光レベルを指示する。照明器具３は、ゾーンＺ１１，…を単位としたゾーンアドレスを有し、親機１は、ゾーンアドレスを用いて照明器具３に調光レベルを伝送する。親機１の記憶部１３には、ゾーンＺ１１，…ごとの調光レベルの組み合わせであるシーンが複数組設定され、複数のシーンがまとめられて１組のパターンとなり、さらに複数組のパターンが調光シーン設定テーブルとして格納される。親機１の制御部１０は、いずれかのパターンが選択された状態において子機２によりシーンを選択する指示がなされると、当該シーンに対応付けられたゾーンＺ１１，…毎の調光レベルを各ゾーンＺ１１，…の照明器具３に与える。【選択図】        図１
2005135658.tif 000002
【特許請求の範囲】
【請求項１】
調光レベルが外部から指示される複数台の照明器具と、照明器具に調光レベルを指示する親機と、親機に対して照明器具の調光レベルの変更を指示する子機とを備え、照明器具は、少なくとも１台の照明器具を含むゾーンを単位としたゾーンアドレスを有し、親機は、ゾーンを単位とした調光レベルの組み合わせであるシーンが複数組設定されゾーンの組合せが同じであるシーンをまとめて１組のパターンとするとともに複数組のパターンを格納した調光シーン設定テーブルと、いずれかのパターンを選択した状態において子機によりシーンを選択する指示がなされるとゾーンアドレスを用いることによって当該シーンに対応付けられたゾーン毎の調光レベルを各ゾーンの照明器具に与える制御部とを備え、子機は、シーンを親機に指示する操作部を備えることを特徴とする照明システム。
【請求項２】
前記子機は照明器具の点灯と消灯とを選択するスイッチを備え、前記親機は、スイッチにより消灯が選択されたときに消灯前のシーンを記憶するシーン記憶部を有し、スイッチにより点灯が選択されたときにはシーン記憶部に記憶しているシーンを採用することを特徴とする請求項１記載の照明システム。
【請求項３】
前記ゾーンを少なくとも１つ含むエリアが複数個形成される空間において当該空間を複数に分割する際に用いるエリア分割部材と、エリア分割部材に設けられ前記空間の分割の仕方を検出する間仕切り子機とを備え、前記親機は、間仕切り子機から前記空間の分割の仕方が通知されると前記調光シーン設定テーブルから分割の仕方に対応するパターンを選択することを特徴とする請求項１記載の照明システム。
【請求項４】
照明に関連付けた状態を検出し状態変化を検出すると前記親機を介して前記照明器具に調光レベルを与えさせるセンサを前記ゾーンを単位として配置し、前記親機は、センサにより状態変化が検出されると当該センサに関連付けた照明器具のゾーンアドレスを獲得することを特徴とする請求項１記載の照明システム。
【請求項５】
前記親機は、異なるゾーンに対応付けた複数の前記センサが前記照明器具の消灯を指示しているときに照明器具を消灯させることを特徴とする請求項４記載の照明システム。
【請求項６】
前記センサは照度を検出する明るさセンサであるときに、前記親機は、センサに対応付けた前記ゾーンに対して調光レベルの伝送を禁止することを特徴とする請求項４記載の照明システム。
【請求項７】
前記親機が複数台設けられるとともに互いに通信であって、各親機が互いに他の親機における調光シーン設定テーブルで管理されているゾーンの情報を持ち、いずれかの親機から他の親機で管理されているゾーンを指定すると他の親機の調光シーン設定テーブルを用いて照明器具に調光レベルが与えられることを特徴とする請求項１記載の照明システム。
【請求項８】
前記親機は、所望の前記子機の動作を禁止する子機操作禁止設定部を備えることをことを特徴とする請求項１記載の照明システム。
【発明の詳細な説明】
【技術分野】
【０００１】
本発明は、複数個の照明器具の調光制御を行う照明システムに関するものである。
【背景技術】
【０００２】
一般に、ホテルの宴会場や大きな会議室などにおいては、使用人数などに応じて間仕切りを用いることにより部屋を複数に分割して使用することがある。このような使用環境では、部屋全体の照明器具を制御する親機と、分割された領域の照明器具を制御する子機とに制御を分担していることが多い。また、この場合に、親機は、部屋全体の照明器具を制御対象とする場合と、親機を含む分割された領域の照明器具を制御対象とする場合とに用いられる（たとえば、特許文献１参照）。
【０００３】
特許文献１に開示された装置では、操作盤に調光対象空間図とともに調光操作部配設位置と照明負荷配置位置とを映し出す映像表示装置と、調光対象空間図に間仕切位置と使用する調光操作部位置と指定する入力装置とが搭載され、映像表示を見ながら間仕切り位置を入力する構成になっている。
【０００４】
しかしながら、各照明器具に対して信号線を親機から個々に配線しているものであるから、配線工事が複雑であるという問題があり、また多くの線材が必要であって高コストになるという問題がある。
【０００５】
配線工事の省力化を図る技術としては、オフィスや店舗などの多数台の照明器具を配置した空間において、スイッチと照明器具とをネットワーク技術を用いて関係付ける技術が種々提案されている。たとえば、特願２００２−２１８９９７には、集中制御を行う照明制御システムであって、集中制御装置と端末となる複数の電子安定器とが２線式の信号線を介して接続された構成を備えるものが示されている。電子安定器はランプとともに照明器具を構成し、電子安定器では照明負荷の点灯・消灯の制御だけでなく調光の制御も可能になっている。集中制御装置は、制御信号を生成して信号線に送出する機能と、信号線を通して電子安定器から返信された信号を受信する機能と、電子安定器から返信された信号を評価する機能とを備えている。また、集中制御装置は信号線を通して電子安定器に対して調光を要求することができ、制御信号としてシリアルデジタル信号を用いている。制御信号は制御指令または照度情報を含む。さらに、１つの部屋の中に多数の電子安定器が配置されているときに、電子安定器を個別に制御する指示と、複数の電子安定器を一括してグループとして制御する指示とが可能になっている。
【０００６】
ネットワーク技術を用いて照明器具を制御するものとしては、分散制御システムによる照明制御システムも知られている。たとえば、照明器具を設ける端末としての各ノードに配線前にあらかじめ固有アドレスを設定し、配線後にノード同士で固有アドレスを再認識して動作アドレスとして固有アドレスを設定し、設定した固有アドレスを用いることにより、ノード設置位置やグループ内でのノードの存在を確認する際に、ノードを意図的に選択できるようにしたものがある（たとえば、特許文献２参照）。
【０００７】
さらに、一般的な照明制御システムに、スイッチやセンサを付加することによって、別の操作を可能とする構成のものも知られている（たとえば、特許文献３参照）。これは、センサからの指示を照明器具に通知する場合に、センサからの信号を見分ける機能を照明器具に持たせるために、照明器具の構成に変更を加える必要をなくし、また照明器具の構成に変更を加えずにセンサからの信号としてあらかじめ照明器具に登録されている信号を用いたときに、照明器具が元のスイッチからの信号からセンサからの信号か判断できなくなり、利用者の意図とは反した動作をするという問題を解決するものである。すなわち、照明制御システムにおいてスイッチないしセンサと照明器具との間の信号線上に信号判別部を付加したものであり、信号判別部において、信号線を伝送される点灯・消灯や調光の指示に対する相互の優先度を判断している。この構成では、スイッチやセンサと信号判別部との間で優先度を取り決めておくことにより、スイッチからの指示とセンサからの指示とを区別して照明器具を動作させることが可能になる。
【特許文献１】特開平８−２３６２７７号公報
【特許文献２】米国特許第５８６６９９２号明細書
【特許文献３】特開２００２−２５２０９０号公報
【発明の開示】
【発明が解決しようとする課題】
【０００８】
ところで、上述した集中制御システムあるいは分散制御システムによる一般的構成の照明制御システムでは、会議室レベルの小空間において、使用者が自由に部屋割りを変更できるような機能を実現した場合で、各エリア（部屋割をした各小部屋）の単位で調光レベルを制御したい場合には、各照明器具を管理するために、個別アドレス情報だけでなくエリア情報も送信する必要があるので、アドレスの語長が長くなってしまい、通信に時間がかかるという課題がある。また、各エリアに属しているスイッチやセンサに、エリア情報を設定する必要があり、設定操作も煩雑になるし、システム構成要素のコストも高くなるという問題が生じる。
【０００９】
本発明は上記事由に鑑みて為されたものであり、その目的は、空間を分割して使用する場合において、空間の分割の仕方に応じて照明器具と子機とを容易に対応付けることを可能とし、しかも照明器具を個別にアクセスすることなく照明器具に対して短時間で調光レベルを与えることができるようにした照明システムを提供することにある。
【課題を解決するための手段】
【００１０】
請求項１の発明は、調光レベルが外部から指示される複数台の照明器具と、照明器具に調光レベルを指示する親機と、親機に対して照明器具の調光レベルの変更を指示する子機とを備え、照明器具は、少なくとも１台の照明器具を含むゾーンを単位としたゾーンアドレスを有し、親機は、ゾーンを単位とした調光レベルの組み合わせであるシーンが複数組設定されゾーンの組合せが同じであるシーンをまとめて１組のパターンとするとともに複数組のパターンを格納した調光シーン設定テーブルと、いずれかのパターンを選択した状態において子機によりシーンを選択する指示がなされるとゾーンアドレスを用いることによって当該シーンに対応付けられたゾーン毎の調光レベルを各ゾーンの照明器具に与える制御部とを備え、子機は、シーンを親機に指示する操作部を備えることを特徴とする。
【００１１】
この構成によれば、空間の分割の仕方に応じてパターンを変更するだけの簡単な作業で対応可能になる。また、子機はシーンの選択を親機に通知するだけの簡単な構成になるから、子機を低コストで実現することができる上に、子機を小型化することが可能になる。さらに、シーンに関するデータを親機が一括して管理しているから、シーンに関するデータの管理が容易である。
【００１２】
請求項２の発明では、請求項１の発明において、前記子機は照明器具の点灯と消灯とを選択するスイッチを備え、前記親機は、スイッチにより消灯が選択されたときに消灯前のシーンを記憶するシーン記憶部を有し、スイッチにより点灯が選択されたときにはシーン記憶部に記憶しているシーンを採用することを特徴とする。
【００１３】
この構成によれば、スイッチによって点灯と消灯とを切り換えることができ、点灯時に消灯前のシーンを再現することが可能になる。しかも、子機に記憶部を持たせることなく消灯前のシーンを再現することができるから、点灯時にシーンを操作しなおす必要はなく機能の向上が期待できる。
【００１４】
請求項３の発明では、請求項１の発明において、前記ゾーンを少なくとも１つ含むエリアが複数個形成される空間において当該空間を複数に分割する際に用いるエリア分割部材と、エリア分割部材に設けられ前記空間の分割の仕方を検出する間仕切り子機とを備え、前記親機は、間仕切り子機から前記空間の分割の仕方が通知されると前記調光シーン設定テーブルから分割の仕方に対応するパターンを選択することを特徴とする。
【００１５】
この構成によれば、空間を分割したときに、親機ではエリア分割部材に設けた間仕切り子機から分割したときの情報を自動的に取得することができるから、親機においてパターンを自動的に選択することができ、使用者による設定が不要であって、設定忘れを防止することができ、しかも所望の照明環境になるから、使い勝手が向上する。
【００１６】
請求項４の発明では、請求項１の発明において、照明に関連付けた状態を検出し状態変化を検出すると前記親機を介して前記照明器具に調光レベルを与えさせるセンサを前記ゾーンを単位として配置し、前記親機は、センサにより状態変化が検出されると当該センサに関連付けた照明器具のゾーンアドレスを獲得することを特徴とする。
【００１７】
この構成によれば、照明器具だけではなくセンサにもゾーンアドレスを付与しているから、親機では短い信号長の信号で送信元であるセンサを特定することができる。センサの状態変化に連動した照明器具の制御は、親機の記憶部に記憶されている調光シーン設定テーブルに従って行われるから、各照明器具がそれぞれ判断して動作する必要がなく、センサで検出される状態変化に連動したシーンを容易かつ安価に実現することができる。
【００１８】
請求項５の発明では、請求項４の発明において、前記親機は、異なるゾーンに対応付けた複数の前記センサが前記照明器具の消灯を指示しているときに照明器具を消灯させることを特徴とする。
【００１９】
たとえば、第１のセンサで人が検出されることによって照明器具を点灯させた後に、第１のセンサが監視している領域から第２のセンサが監視している領域に人が移動した後に第１のセンサで人が検出されなくなったことによって、照明器具を消灯してしまうと、第１のセンサが監視している領域の近辺に人が存在しているにもかかわらず、照明器具が消灯されることになって不都合を生じることがある。これに対して、この構成によれば、この種の不都合を生じることが防止できる。
【００２０】
請求項６の発明では、請求項４の発明において、前記センサは照度を検出する明るさセンサであるときに、前記親機は、センサに対応付けた前記ゾーンに対して調光レベルの伝送を禁止することを特徴とする。
【００２１】
この構成によれば、明るさセンサの検出値に連動して照度を一定に保つように光出力を制御しているような照明器具に対して、親機からの調光レベルの伝送が禁止されるから、明るさセンサから照明器具へ調光レベルを直接与えることによって行うことになり、照明器具の光出力をセンサの検出値に連動させて行うことが可能になり、親機を介して照明器具を制御する場合よりも親機の負荷が軽減される。とくに、明るさセンサの検出値のように連続的に多数の検出値が送信される場合においては、親機における信号処理の負荷を大幅に軽減できる効果が期待できる。
【００２２】
請求項７の発明では、請求項１の発明において、前記親機が複数台設けられるとともに互いに通信であって、各親機が互いに他の親機における調光シーン設定テーブルで管理されているゾーンの情報を持ち、いずれかの親機から他の親機で管理されているゾーンを指定すると他の親機の調光シーン設定テーブルを用いて照明器具に調光レベルが与えられることを特徴とする。
【００２３】
この構成によれば、各親機が管理している照明器具を配置した空間を連結した場合に、いずれの親機からでもすべての照明器具に対して調光レベルを与えることが可能になり操作性が向上する。つまり、空間の利用の仕方に応じた柔軟な対応が可能になる。しかも、各親機にすべての照明器具に対応したデータを持たせるのではなく、他の親機が保有する調光シーン設定データを流用するから、各親機の記憶容量の負担がなく、比較的安価に構築することができる。
【００２４】
請求項８の発明では、請求項１の発明において、前記親機は、所望の前記子機の動作を禁止する子機操作禁止設定部を備えることをことを特徴とする。
【００２５】
この構成によれば、分割された領域内の照明器具に対して有効に機能する子機を特定することができ、他の領域を対象としている子機による操作を禁止することができる。
【発明の効果】
【００２６】
本発明の構成によれば、空間の分割の仕方に応じてパターンを変更するだけの簡単な作業で対応可能になるという利点がある。また、子機はシーンの選択を親機に通知するだけの簡単な構成になるから、子機を低コストで実現することができる上に、子機を小型化することが可能になるという利点がある。さらに、シーンに関するデータを親機が一括して管理しているから、シーンに関するデータの管理が容易であるという利点もある。
【発明を実施するための最良の形態】
【００２７】
（実施形態１）
本実施形態では、図２に示すように、宴会場や会議室のような部屋であって、必要に応じて間仕切り５を設けることにより複数の空間に分割して用いることができるような比較的広い部屋に本発明を適用する場合を想定する。図示例では、１部屋を最大で３つのエリアＡ１〜Ａ３に分割可能であり、さらに各エリアＡ１〜Ａ３をそれぞれ２つのゾーンＺ１１，Ｚ１２，Ｚ２１，Ｚ２２，Ｚ３１，Ｚ３２に分割可能である場合を示している。図２に示す左右のエリアＡ１，Ａ３は上下の２つのゾーンＺ１１，Ｚ１２，Ｚ３１，Ｚ３２に分割可能であり、中央のエリアＡ２は内外の２つのゾーンＺ２１，Ｚ２２に分割可能になっている。部屋内には同形状である照明器具が１列７台でマトリクス状に配列され、各ゾーンＺ１１，Ｚ１２，Ｚ２１，Ｚ２２，Ｚ３１，Ｚ３２に少なくとも１台の照明器具３が含まれるように、ゾーンＺ１１，Ｚ１２，Ｚ２１，Ｚ２２，Ｚ３１，Ｚ３２が設定される。
【００２８】
各照明器具３は信号線４に接続されており、信号線４は各列の照明器具３をそれぞれ一直線上で接続するように配線され、さらに、隣接する各２列の照明器具３を接続している一直線上の信号線４は一端同士が互いに接続されている。したがって、室内のすべての照明器具３は１本の蛇行した信号線４に接続される。各照明器具３は信号線４を通して調光レベルが指示されることによって光出力を制御する機能を有している。ここに、調光レベルは０〜１００％の範囲で指示され、調光レベルの１００％は定格点灯（全点灯）を意味し、調光レベルの０％はオフを意味する。また、０％より大きく２０％未満である調光レベルは用いられず、照明器具３の点灯時には２０％以上の範囲のみが用いられる。
【００２９】
各照明器具３の調光レベルは、信号線４に接続された親機１または子機２に設けたスイッチＳＷ１，ＳＷ２などからなる操作部１１，１２（図１参照）を操作することにより指示される。親機１は１部屋に１台だけ設けられ、子機２は部屋に設けることができるエリアＡ１〜Ａ３の最大数に応じて適宜台数が設けられる。調光レベルは、ゾーンＺ１１，Ｚ１２，Ｚ２１，Ｚ２２，Ｚ３１，Ｚ３２を単位として制御され、各ゾーンＺ１１，Ｚ１２，Ｚ２１，Ｚ２２，Ｚ３１，Ｚ３２に含まれる照明器具３には同じ調光レベルが与えられる。また、親機１にはゾーンＺ１１，Ｚ１２，Ｚ２１，Ｚ２２，Ｚ３１，Ｚ３２ごとの照明器具３の調光レベルの組合せが「シーン」として複数登録されており、親機１および子機２の操作部１１，１２では親機１に登録されたシーンから所望のシーンを選択することが可能になっている。つまり、１つのシーンを親機１または子機２の操作部１１，１２によって選択すれば、各ゾーンＺ１１，Ｚ１２，Ｚ２１，Ｚ２２，Ｚ３１，Ｚ３２の照明器具３には選択したシーンの調光レベルが与えられる。
【００３０】
本実施形態の親機１および子機２は、後述するように、ゾーンＺ１１，Ｚ１２，Ｚ２１，Ｚ２２，Ｚ３１，Ｚ３２を単位として１個または複数個のゾーンＺ１１，Ｚ１２，Ｚ２１，Ｚ２２，Ｚ３１，Ｚ３２に対応付けることができ、対応付けたゾーンＺ１１，Ｚ１２，Ｚ２１，Ｚ２２，Ｚ３１，Ｚ３２に含まれる照明器具３が制御対象になる。図示例では、６個のゾーンＺ１１，Ｚ１２，Ｚ２１，Ｚ２２，Ｚ３１，Ｚ３２を形成してあり、各エリアＡ１〜Ａ３に親機１または子機２を２台ずつ設けることとして子機２を５台設け、親機１と子機２とを併せて６台設けてある。
【００３１】
親機１および子機２では、制御対象であるいずれかの照明器具３を点灯させる４種類のシーンと、制御対象であるのすべての照明器具３を消灯させるシーンとの５種類のシーンを選択することができる。親機１と子機２とには、それぞれシーンを選択するための押釦スイッチからなるスイッチＳＷ１，ＳＷ２が設けられており、スイッチＳＷ１，ＳＷ２の操作によって５種類のシーンのいずれかを択一的に選択する。たとえば、親機１と子機２とにシーン選択するためのスイッチＳＷ１，ＳＷ２を５個ずつ設けることによって、５種類のシーンを択一的に選択することができる。また、図示例のように、親機１と子機２とにシーンを選択するためのスイッチＳＷ１，ＳＷ２を４個ずつ設け、４個のスイッチＳＷ１，ＳＷ２が択一的にオンになるようにして、制御対象のいずれかの照明器具３を点灯させる４種類のシーンをスイッチＳＷ１，ＳＷ２に対応付けて選択し、４個のスイッチＳＷ１，ＳＷ２のいずれかがオンである状態で当該スイッチＳＷ１，ＳＷ２をオフにすることにより、親機１または子機２が制御対象としているすべての照明器具３を消灯させるシーンを選択するようにしてもよい。
【００３２】
ここにスイッチＳＷ１，ＳＷ２を５個ずつ設けることによって、１個のスイッチＳＷ１，ＳＷ２を消灯に対応付けている場合には、このスイッチＳＷ１，ＳＷ２を点灯と消灯との切換に用いるのが望ましい。また、親機１および子機２において１個ずつのスイッチＳＷ１，ＳＷ２を点灯／消灯の切換に用いる場合には、消灯の操作を行ったときに、消灯前のシーンＳ１〜Ｓ４を親機１に記憶させるシーン記憶部を設けておくのが望ましい。この構成を採用することによって、点灯／消灯の切換を行うスイッチＳＷ１，ＳＷ２によって消灯から点灯に切り換えたときに、消灯前のシーンＳ１〜Ｓ４を再現させることが可能になる。この動作を行うために、親機１および子機２において５個ずつのスイッチＳＷ１，ＳＷ２が必要であるが、消灯前のシーンＳ１〜Ｓ４は親機１が記憶しているから、子機２においてシーンＳ１〜Ｓ４を記憶する必要がなく、親機１の動作を決めるプログラムを変更するだけであって比較的低コストで上記機能を付加することが可能である。なお、照明器具３が消灯している状態からシーンＳ１〜Ｓ４を選択するスイッチＳＷ１、ＳＷ２を操作すれば、当該シーンＳ１〜Ｓ４を選択することができる。
【００３３】
ところで、親機１では、上述した消灯を含む５種類のシーンを組にして「パターン」として登録してあり、パターンを選択することによって、スイッチＳＷ１，ＳＷ２により選択可能なシーンの種類を変更することができる。パターンは、間仕切り５によるエリアＡ１〜Ａ３の分割の仕方に対応付けられており、間仕切り５を用いずに部屋全体を使用するパターンＰ１と、間仕切り５により部屋を３つのエリアＡ１〜Ａ２に分割するパターンＰ２と、エリアＡ２とエリアＡ３との間にのみ間仕切り５を設けるパターンＰ３と、エリアＡ１とエリアＡ２との間にのみ間仕切り５を設けるパターンＰ４とが選択可能になっている。
【００３４】
パターンＰ１では、親機１と子機２とのどちらもが、すべてのゾーンＺ１１，Ｚ１２，Ｚ２１，Ｚ２２，Ｚ３１，Ｚ３２の照明器具３を制御対象とし、シーンの種類としては、たとえば、各ゾーンＺ１１，Ｚ１２，Ｚ２１，Ｚ２２，Ｚ３１，Ｚ３２の照明器具３に与える調光レベルを、それぞれ１００％、１００％、１００％、１００％、１００％、２０％とするシーンＳ１（Ａ１Ａ２Ａ３−Ｐ１）と、それぞれ１００％、１００％、１００％、１００％、２０％、１００％とするシーンＳ２（Ａ１Ａ２Ａ３−Ｐ１）と、それぞれ３０％、３０％、１００％、１００％、１００％、１００％とするシーンＳ３（Ａ１Ａ２Ａ３−Ｐ１）と、それぞれ３０％、１００％、３０％、１００％、３０％、１００％とするシーンＳ４（Ａ１Ａ２Ａ３−Ｐ１）と、それぞれ消灯するシーンＳ５（Ａ１Ａ２Ａ３−Ｐ１）とが選択可能になる。なお、括弧内の符号は、ハイフンの左側が制御対象となるエリア名を意味し、ハイフンの右側がパターン名を意味する。
【００３５】
また、パターンＰ２では、親機１と子機２とがそれぞれ２個ずつのゾーンＺ１１，Ｚ１２，Ｚ２１，Ｚ２２，Ｚ３１，Ｚ３２の照明器具３が制御対象になる。つまり、図２において、エリアＡ１に設けた親機１と子機２とはエリアＡ１のゾーンＺ１１，Ｚ１２に含まれる照明器具３を制御対象とし、エリアＡ２に設けた２台の子機２はエリアＡ２のゾーンＺ２１，Ｚ２２に含まれる照明器具３を制御対象とし、エリアＡ３に設けた２台の子機２はエリアＡ３のゾーンＺ３１，Ｚ３２に含まれる照明器具３を制御対象とする。つまり、各エリアＡ１〜Ａ３ごとに親機１および子機２でそれぞれ５種類ずつのシーンが選択可能になり、パターンＰ２には合計１５種類のシーンが含まれることになる。たとえば、エリアＡ１の親機１および子機２は、ゾーンＺ１１，Ｚ１２の照明器具３のみを制御対象とし、照明器具３に与える調光レベルを、それぞれ１００％、１００％とするシーンＳ１（Ａ１−Ｐ２）と、それぞれ１００％、１００％とするシーンＳ２（Ａ１−Ｐ２）と、それぞれ３０％、３０％とするシーンＳ３（Ａ１−Ｐ２）と、それぞれ３０％、１００％とするシーンＳ４（Ａ１−Ｐ２）と、それぞれ消灯するシーンＳ５（Ａ１−Ｐ２）とが選択可能になる。また、エリアＡ２の子機２は、ゾーンＺ２１，Ｚ２２の照明器具３のみを制御対象とし、照明器具３に与える調光レベルを、それぞれ１００％、１００％とするシーンＳ１（Ａ２−Ｐ２）と、それぞれ１００％、１００％とするシーンＳ２（Ａ２−Ｐ２）と、それぞれ１００％、１００％とするシーンＳ３（Ａ２−Ｐ２）と、それぞれ３０％、１００％とするシーンＳ４（Ａ２−Ｐ２）と、それぞれ消灯するシーンＳ５（Ａ２−Ｐ２）とが選択可能になる。同様に、エリアＡ３の子機２は、ゾーンＺ３１，Ｚ３２の照明器具３のみを制御対象とし、照明器具３に与える調光レベルを、それぞれ１００％、２０％とするシーンＳ１（Ａ３−Ｐ２）と、それぞれ１００％、１００％とするシーンＳ２（Ａ３−Ｐ２）と、それぞれ３０％、３０％とするシーンＳ３（Ａ３−Ｐ２）と、それぞれ３０％、１００％とするシーンＳ４（Ａ３−Ｐ２）と、それぞれ消灯するシーンＳ５（Ａ３−Ｐ２）とが選択可能になる。
【００３６】
他のパターンＰ３，Ｐ４についても同様であって、パターンＰ３ではエリアＡ１，Ａ２の親機１および子機２がゾーンＺ１１，Ｚ１２，Ｚ２１，Ｚ２２の照明器具３を制御対象とし、エリアＡ３の子機２がゾーンＺ３１，Ｚ３２の照明器具３を制御対象とするのであり、またパターンＰ４ではエリアＡ１の親機１および子機２がゾーンＺ１１，Ｚ１２の照明器具３を制御対象とし、エリアＡ２，Ａ３の子機２がゾーンＺ３１，Ｚ３２の照明器具３を制御対象とする。したがって、パターンＰ３，Ｐ４にはそれぞれ１０種類のシーンが含まれることになる。
【００３７】
上述したパターンＰ１〜Ｐ４とシーンと各ゾーンＺ１１，Ｚ１２，Ｚ２１，Ｚ２２，Ｚ３１，Ｚ３２の調光レベルとの関係の一例を表１に示す。表１に示す関係は調光シーン設定テーブルとして親機１に登録され、間仕切り５による部屋の分割の仕方に応じて親機１で所望のパターンＰ１〜Ｐ４を選択すると、当該パターンＰ１〜Ｐ４において規定したシーンを親機１および各子機２で選択することが可能になる。
【００３８】
【表１】
2005135658.tif 000003
【００３９】
親機１および子機２は、それぞれ信号線４に接続される通信部１２，１３を備え、子機２での操作部１１の操作が信号線４を通して親機１に通知される。また、照明器具３も信号線４に接続される通信部３２を備え、親機１からの指示（調光レベル）が照明器具３に伝送される。通信部１２，２２，３２は個別部品または専用の集積回路により構成される。また、親機１と特定の子機２との間および親機１と特定の照明器具３との間で通信可能となるように、子機２および照明器具３にはアドレスが設定されている。子機２および照明器具３にはアドレスの設定のためのＤＩＰスイッチが設けられ、親機１には子機２および照明器具３に設定されたアドレスを記憶する記憶部１３が設けられる。ここに、子機２および照明器具３では、ＤＩＰスイッチに代えてＥＥＰＲＯＭのような不揮発性メモリを用いてアドレスを記憶するようにしてもよい。このような不揮発性メモリによるアドレスの設定を行う場合には、子機２および照明器具３に与えられている固有の識別子（たとえば、製品のシリアル番号など）を用いて親機１が子機２および照明器具３との間で個別に通信を行い、現場に応じたアドレスを親機１から子機２および照明器具３に設定することが可能になる。
【００４０】
上述したように、照明器具３はゾーンＺ１１，Ｚ１２，Ｚ２１，Ｚ２２，Ｚ３１，Ｚ３２を単位として制御されるから、各照明器具３に個別にアドレスを設定する必要はなく、各ゾーンＺ１１，Ｚ１２，Ｚ２１，Ｚ２２，Ｚ３１，Ｚ３２に含まれる照明器具３には同一のアドレスを付与する。このように、照明器具３にはゾーンＺ１１，Ｚ１２，Ｚ２１，Ｚ２２，Ｚ３１，Ｚ３２単位で同一のアドレスが付与されるから、以下では照明器具３に設定されるこのアドレスをゾーンアドレスと呼ぶ。つまり、親機１がゾーンアドレスを用いて照明器具３にアクセスすることによって、各ゾーンＺ１１，Ｚ１２，Ｚ２１，Ｚ２２，Ｚ３１，Ｚ３２内の照明器具３は、同時一斉に調光レベルを受け取ることになる。つまり、複数台の照明器具３が含まれるゾーンＺ１１，Ｚ１２，Ｚ２１，Ｚ２２，Ｚ３１，Ｚ３２であっても、ゾーンＺ１１，Ｚ１２，Ｚ２１，Ｚ２２，Ｚ３１，Ｚ３２内のすべての照明器具３に対して調光レベルを同時一斉に与えることが可能になり、照明器具３ごとに個別に調光レベルを伝送する場合に比べて短時間で調光レベルを指示することができ、操作部１１，１２の操作から照明器具３の光出力を遅滞なく変化させることができる。
【００４１】
親機１は、図１に示すように、操作部１１および通信部１２のほかマイクロコンピュータ（以下、「マイコン」と略称する）を主構成要素とする制御部１０を備え、制御部１０には上述した記憶部１３が付設される。記憶部１３にはＥＥＰＲＯＭのような不揮発性メモリが用いられ、内容の書換が可能であることはもちろん、停電時においても内容が消滅しないようになっている。記憶部１３には、親機１および子機２に設けた操作部１１，１２の操作と照明器具３の点灯状態とを対応付けるための上述した調光シーン設定テーブルも格納される。
【００４２】
親機１の操作部１１は、スイッチＳＷ１のほか、照明器具３の点灯・消灯の状態を示す発光ダイオード（図示せず）および文字表示の可能な液晶表示器ＤＰを備える。スイッチＳＷ１は、上述のようにシーンを選択する際に用いられるとともに、パターンＰ１〜Ｐ４の選択にも用いられる。さらに、液晶表示器ＤＰの表示内容を確認しながらスイッチＳＷ１を操作することによって調光シーン設定テーブルの作成にも用いられる。記憶部１３に調光シーン設定テーブルが格納されている状態では、親機１に設けた操作部１１でパターンＰ１〜Ｐ４を選択することにより、調光シーン設定テーブルの内容に応じて親機１および子機２で選択可能なシーンが規定されるから、この状態で親機１のスイッチＳＷ１で制御部１０にシーンが指示されるか、子機２のスイッチＳＷ２の操作により信号線４を通して制御部１０にシーンが指示されると、制御部１０では記憶部１３の調光シーン設定テーブルを参照することによって、当該シーンに対応する各ゾーンＺ１１，Ｚ１２，Ｚ２１，Ｚ２２，Ｚ３１，Ｚ３２ごとの照明器具３の調光レベルを抽出し、各ゾーンＺ１１，Ｚ１２，Ｚ２１，Ｚ２２，Ｚ３１，Ｚ３２を単位としてゾーンアドレスを用いて照明器具３に通信部１２を通して調光レベルを伝送し、各照明器具３の光出力を調節する。なお、記憶部１３は制御部１０に内蔵してもよい。
【００４３】
子機２は、親機１と同様に、操作部２１および通信部２２のほかマイコンを主構成要素とする制御部２０を備える。子機２の操作部２１は、複数個のスイッチＳＷ２とともに照明器具３の点灯・消灯の状態を示す発光ダイオードを備える。スイッチＳＷ２は、親機１のスイッチＳＷ１と同様にシーンを選択することができ、スイッチＳＷ１が操作されると制御部２０は通信部２２を通して親機１に対して、子機２のアドレスとともにスイッチＳＷ１の操作内容を通知する。つまり、子機２の操作部２１が操作されると、スイッチＳＷ２のオンオフの情報が子機２のアドレスとともに親機１に伝送され、どの子機２のどのスイッチＳＷ２が操作されたかを親機１に認識させる。親機１では、いずれかのパターンＰ１〜Ｐ４が選択されているから、子機２とスイッチＳＷ２とが特定されると、調光シーン設定データを参照することによってシーンを特定することができ、当該シーンにおける各ゾーンＺ１１，Ｚ１２，Ｚ２１，Ｚ２２，Ｚ３１，Ｚ３２ごとの調光レベルを各照明器具３に対してゾーンアドレスを用いて伝送する。
【００４４】
ところで、照明器具３は、ランプ３１および通信部３２のほかに、マイコンを主構成要素とする点灯回路制御部３０およびランプ３１を点灯させる点灯回路部３３を備える。ランプ３１は蛍光ランプを想定しており、点灯回路部３３は、点灯回路制御部３０からの指示によって蛍光ランプを調光点灯させることが可能なものを用いる。たとえば、点灯回路部３３としてインバータ回路を含むものを用い、インバータ回路からランプ３１に供給する電力を制御することにより、ランプ３１を調光点灯させる。点灯回路制御部３０は、通信部３２を通して親機２から受け取った調光レベルで点灯回路部３３を制御する。
【００４５】
上述したように、間仕切り５による部屋の分割の仕方に対応付けたパターンＰ１〜Ｐ４を決め、パターンＰ１〜Ｐ４ごとにゾーンＺ１１，Ｚ１２，Ｚ２１，Ｚ２２，Ｚ３１，Ｚ３２を単位として照明器具３の調光レベルの組合せをシーンとして規定するから、間仕切り５の位置変更に対して、パターンＰ１〜Ｐ４の変更のみで対応可能になる。また、子機２は親機１に対してどのシーンを選択したかの情報のみを伝送すればよいから、スイッチＳＷ２の操作内容を信号線４を通して親機１に伝送するだけの簡単な構成でよく、比較的低コストで小型に構成することができる。また、パターンＰ１〜Ｐ４およびシーンに対応する照明器具３の調光レベルは親機１が調光シーン設定テーブルとして管理する構成であるから、調光シーン設定テーブルの管理や変更が容易である。
【００４６】
なお、上述した親機１と子機２と照明器具３との間の伝送方式はどのようなものでも採用することが可能であり、たとえば集中制御方式として、親機１が子機２を循環的にアクセスすることによって指定したアドレスの子機２からのスイッチＳＷ２の操作の情報を受け取り、ゾーンアドレスを用いて照明器具３に調光レベルの指示を与える動作のほか、分散制御方式として、親機１と子機２とを通信ノードとしては対等に扱い、子機２から親機１に対して送信元アドレスと送信先アドレスとを指定してスイッチＳＷ２の操作の情報を伝送し、親機１は照明器具３に対してゾーンアドレスを指定して調光レベルの指示を与える動作とすることも可能である。いずれの場合も、親機１から照明器具３に対しては、送信先アドレス（ゾーンアドレス）のみを指定すればよいから送信元アドレスは不要であり、またゾーンアドレスによって照明器具３に調光レベルを伝送するから、照明器具３には個別のアドレスは不要であって、各ゾーンＺ１１，Ｚ１２，Ｚ２１，Ｚ２２，Ｚ３１，Ｚ３２に複数台の照明器具３が含まれていても、ゾーンＺ１１，Ｚ１２，Ｚ２１，Ｚ２２，Ｚ３１，Ｚ３２毎に１回ずつ調光レベルを伝送するだけで、照明器具３に所望の調光レベルを与えることが可能になる。つまり、各照明器具３に個別に調光レベルを伝送する場合に比較すると、信号線４のトラフィックを大幅に低減することができる。
【００４７】
なお、上述した実施形態では部屋を３個のエリアＡ１〜Ａ３に分割する例を示したが、エリアの個数についてはとくに制限はないのは言うまでもない。
【００４８】
（実施形態２）
実施形態１では、親機１に設けた操作部１１を用いてパターンＰ１〜Ｐ４を選択しているが、本実施形態は間仕切り５の位置に応じてパターンＰ１〜Ｐ４を自動的に選択するものである。本実施形態で用いる間仕切り５は、間仕切り壁であって部屋内での設置位置が定められているものとする。また、部屋において間仕切り５を設置する場所には設置用部材が取り付けられており、設置用部材に対して定められた間仕切り５を装着することによって部屋を分割することができるようになっている。以下では、間仕切り５および設置用部材をエリア分割部材と呼ぶ。なお、エリア分割部材には、間仕切り５を移動させるために部屋に設けたレールも含むものとする。
【００４９】
本実施形態では、エリア分割部材に、図３に示す構成の間仕切り子機６を設け、間仕切り５が定位置に設置されているか否かを間仕切り子機６から親機１に通知するようにしてある。間仕切り子機６は、間仕切り５が定位置に装着されたか否かを検出する位置検出部６１と、位置検出部６１による検出結果を親機１に通知するための送信部６２とを備える。位置検出部６１の検出結果はマイコンを主構成要素とする制御部６０を通して送信部６２に与えられ、制御部６０では位置検出部６１での検出結果の正否を判断し、また位置検出部６１の検出結果が送信部６２を通して親機１に確実に伝送されるように送信部６２の伝送タイミングなどを制御する機能を有する。さらに、間仕切り子機６には内部回路に電源を供給する電源部６３が設けられる。電源部６３は、商用電源のような交流電源から内部回路の電源を生成する構成、または電池から内部回路の電源を生成する構成を採用することができる。位置検出部６１は間仕切り５が定位置に装着されているか否かを検出すればよいから、間仕切り５の有無を検出するスイッチを位置検出部６１として用いる。つまり、図２において間仕切り５を示している部位に、間仕切り５の装着の有無を検知可能なスイッチを配置する。送信部６２は、信号線４に接続して有線で親機１との通信を行う構成のほか、赤外線や電波を伝送媒体とする無線で親機１と通信を行う構成であってもよい。
【００５０】
親機１には実施形態１と同様の調光シーン設定テーブルが登録されているものとし、間仕切り５を用いずに部屋全体を１つの空間とするパターンＰ１と、２枚の間仕切り５を用いて部屋を３個のエリアＡ１〜Ａ３に分割するパターンＰ２と、図２における右側の間仕切り５のみを用いて部屋を２分割するパターンＰ３と、図２における左側の間仕切り５のみを用いて部屋を２分割するパターンＰ４とが選択可能であるものとする。上述のように間仕切り子機６は、各間仕切り５に対応したエリア分割部材にそれぞれ設けられ、各間仕切り子機６には子機２と同様にそれぞれ固有のアドレスが設定される。したがって、親機１は２枚の間仕切り５がそれぞれ定位置に装着されたか否かを間仕切り子機６からの通知によって知ることが可能になる。つまり、親機１では２台の間仕切り子機６から位置検出部６１での検出結果の通知を受け取り、両者の検出結果を組み合わせることによって、２枚の間仕切り５が定位置に装着されていない状態と、２枚の間仕切り５がともに定位置に装着された状態と、いずれか１枚の間仕切り５のみが定位置に装着された２つの状態との合計４状態を親機１で知ることが可能になる。
【００５１】
上述した４状態はそれぞれパターンＰ１〜Ｐ４に対応するから、間仕切り子機６からの通知内容によって親機１はパターンＰ１〜Ｐ４を自動的に選択することができる。たとえば、間仕切り５が用いられていない状態であってパターンＰ１が選択されているときに、図２の左側の間仕切り５が装着されたことが間仕切り子機６から親機１に通知されたとすると、親機１では右側の間仕切り５に対応した間仕切り子機６から間仕切り５の装着の通知がないことによってパターンＰ４を選択する。また、パターンＰ４が選択された状態において、右側の間仕切り５に対応した間仕切り子機６からも間仕切り５の装着が親機１に通知されたときには、親機１においてパターンＰ２を選択する。また、パターンＰ２が選択された状態において、左側の間仕切り５に対応した間仕切り子機６から間仕切り５を外した旨の通知がなされると、親機１ではパターンＰ３を選択する。以上のように、親機１では間仕切り子機６からの間仕切り５の装着状態が通知されることによって、間仕切り５の位置に応じたパターンＰ１〜Ｐ４を自動的に選択する。
【００５２】
すなわち、部屋を間仕切り５によって分割したときに、親機１を操作することなくパターンＰ１〜Ｐ４を自動的に選択するから、使用者がパターンＰ１〜Ｐ４の設定操作を行うことなく所望のパターンＰ１〜Ｐ４が選択され、利便性が向上する。他の構成および機能は実施形態１と同様である。
【００５３】
（実施形態３）
実施形態２では、エリア分割部材に間仕切り子機６を設けることによって間仕切り５の装着の有無を親機１に通知する構成を採用しているが、親機１に間仕切り５との距離を計測する測距センサを付加したり、親機１とは別に設けた測距センサでの計測結果を親機１に通知したりすることによって、測距センサによる計測結果を用いて間仕切り５の装着の有無を検出してもよい。
【００５４】
図４は、各間仕切り５までの距離をそれぞれ計測する測距センサ７ａ，７ｂを親機１に設けた例を示しており、２枚の間仕切り５の有無を測距センサ７ａ，７ｂで検出するために、親機１をエリアＡ２に設置している。すなわち、各測距センサ７ａ，７ｂでは親機１を設置している位置から対応する各間仕切り５までの距離をそれぞれ計測し、親機１では各測距センサ７ａ，７ｂにより計測した距離が規定した範囲内であれば、各測距センサ７ａ，７ｂに対応付けた間仕切り５が定位置に装着されていると判断し、範囲外であれば間仕切り５が外されていると判断する。たとえば、図４（ａ）に示す例では、両測距センサ７ａ，７ｂにより計測した距離が規定した範囲内になるから、親機１では両間仕切り５が装着されていると判断してパターンＰ１を選択する。また、図４（ｂ）に示す例では、測距センサ７ａにより計測した距離は規定した範囲内になるが、測距センサ７ｂにより計測した距離は範囲外になるから、親機１では、左側の間仕切り５が装着され、右側の間仕切り５は外されていると判断し、パターンＰ４を選択する。他の構成および機能は実施形態２と同様である。なお、本実施形態では、最大２枚の間仕切り５を用いるから２個の測距センサ７ａ，７ｂを中央のエリアＡ２に配置しているが、測距センサは（間仕切り５の枚数−１）個が必要であり、部屋内に設置可能な間仕切り５の最大枚数に応じて測距センサの個数および配置を決めるのは言うまでもない。
【００５５】
（実施形態４）
上述した各実施形態では、各エリアＡ１〜Ａ３および各ゾーンＺ１１，Ｚ１２，Ｚ２１，Ｚ２２，Ｚ３１，Ｚ３２が固定的に設定されている例を示したが、本実施形態は、間仕切り５の位置に応じてゾーンを自動的に設定する構成を採用している。実施形態２と同様に、部屋内において間仕切り５を設置可能な位置は規定されており、間仕切り５を設置可能な位置には間仕切り子機６の位置検出部６１が設けられる。
【００５６】
本実施形態では、図５に示すように、部屋内の５箇所の位置Ｅ１〜Ｅ５に間仕切り５を設置可能としてあり、室内には６個のエリアＡ１〜Ａ６が形成される。ここで、上述した実施形態と同様に、各エリアＡ１〜Ａ６にそれぞれ２個以上のゾーンを形成するとすれば、１２個以上のゾーンが形成される。また、間仕切り５の位置の組合せ数であるパターンの数は３２になる。このような多くのパターンを調光シーン設定テーブルに設定するには手間がかかる上に、すべてのパターンを設定したとしても実際には使用しないパターンが含まれると考えられる。また、間仕切り５の位置によっては複数のエリアＡ１〜Ａ６が１つの空間として利用されるから、このような場合に１つの空間として利用される範囲においてゾーンを設定すればよいにもかかわらず、各エリアＡ１〜Ａ６がそれぞれ複数のゾーンに分割されていると調光シーン設定テーブルのデータ数が多くなる。そこで、本実施形態では、実際に間仕切り５を設置したときに、当該パターンについてのみ調光シーン設定テーブルを作成し、しかも、間仕切り５を介して１つの空間として利用される範囲においてゾーンを自動的に設定することによって、調光シーン設定テーブルの作成を容易にしている。
【００５７】
上述した機能を実現するために、各照明器具３にそれぞれ個別のアドレスを設定してあり、また親機１の記憶部１３には、照明器具３の個別のアドレスと照明器具３の位置とを対応付けたテーブルをあらかじめ登録してある。照明器具４の個別のアドレスは図５において「ＡＤＤ：ｎ」と記載している符号の「ｎ」の部分である。また、図示例では照明器具３を部屋内にマトリクス状に配列しているから、行番号ｘと列番号ｙとを組み合わせて「ｘ−ｙ」の形で照明器具３の位置を表している。したがって、図示例では、「ＡＤＤ：１」の位置は「１−１」であり、「ＡＤＤ：２」の位置は「２−１」であり、「ＡＤＤ：５」の位置は「１−２」になる。なお、照明器具３の個別のアドレスは位置と対応付けられていればよく、図５のように順番に並んでいなくてもよい。
【００５８】
本実施形態では、間仕切り５を所望位置に設置すると、間仕切り５の設置位置が親機１に通知され、親機１では間仕切り５の設置位置に応じて適宜の条件でゾーンを自動的に設定する。ゾーンを形成する条件は、たとえば以下のように規定することが可能である。
１．間仕切り５を介して分割された１個の空間は２個または４個のゾーンで構成する。
２．１個のゾーンは個別のアドレスが連続した２台以上の照明器具３で構成する。
３．１個のゾーンに３台以上の照明器具３を含める場合は、同列に異なるゾーンを設定しない（たとえば、図５では「ＡＤＤ：１」と「ＡＤＤ：３」とは同ゾーンに含まない）。
上述した条件は一例であって、ゾーンを形成する条件は適宜に設定すればよい。また、このような条件は親機１に組み込んで製品とすればよいが、現場に応じた条件を親機１に設定できるようにしてもよい。
【００５９】
しかして、ゾーンを設定する作業は以下の手順で行うことになる。すなわち、間仕切り５を所望の位置（たとえば、位置Ｅ１）に配置すると、当該位置の位置検出部６１から間仕切り５が設置されたことが親機１に通知される。親機１は、間仕切り５で分割された各空間ごとに、上述のような適宜の条件を適用してゾーンを決定する。間仕切り５を位置Ｅ１に設置した場合には、エリアＡ１には４台の照明器具３が含まれるから、位置「１−１」「１−２」の２台の照明器具３と、位置「１−３」「１−４」の２台の照明器具３とがそれぞれゾーンを形成する。また、エリアＡ２〜Ａ６に含まれる照明器具３によって、４個のゾーンが形成される。たとえば、エリアＡ２、Ａ３、Ａ４がそれぞれ１個ずつのゾーンを形成し、またエリアＡ５とエリアＡ６とが一括されて１個のゾーンを形成する。
【００６０】
上述のようにして親機１が各ゾーンに含める照明器具３を割り振った後に、親機１は各照明器具３に対してゾーンアドレスを伝送する。つまり、親機１において各ゾーンに含める照明器具３が決定されるから、各ゾーンに含まれる照明器具３を単位としてゾーンアドレスを各照明器具３に伝送し、各照明器具３にゾーンアドレスを記憶させる。このようにして各照明器具３にゾーンアドレスを記憶させた後に、親機１において調光シーン設定テーブルを作成すれば、以後は実施形態１と同様にして、ゾーンを単位として照明器具３の調光レベルを制御することが可能になる。このようにして設定される調光シーン設定テーブルは、実施形態１における１種類のパターンと等価である。このような調光シーン設定テーブルは、親機１に複数組を記憶させることが可能である。また、実施形態１のように、各エリアＡ１〜Ａ６を２個ずつのゾーンに分割するのではなく、間仕切り５の位置に応じてゾーンを設定するから、各調光シーン設定テーブルに含まれるゾーンの個数が低減される。このように、間仕切り５によって部屋内を自由に分割することができるのはもちろんのこと、分割した各空間を構成するゾーンが自動的に設定されるから、調光シーン設定テーブルの作成の手間を大幅に省力化することができる。また、調光シーン設定テーブルの個数を、実際に間仕切り５を設置すると想定される組合せ数分とすれば、利用可能な間仕切り５の枚数が比較的多くなっても調光シーン設定テーブルの作成が比較的容易になる。他の構成および動作は実施形態１と同様である。また、調光シーン設定テーブルを親機１に設定した後には、実施形態２と同様に、間仕切り３の設置によって調光シーン設定テーブル（パターン）を自動的に選択するようにしてもよい。
【００６１】
なお、上述した例では間仕切り５を１枚だけ用いる場合を示しているが、２枚以上の間仕切り５を用いる場合であっても、ゾーンに分割する条件を適宜に設定しておくことで、ゾーンを自動的に設定することが可能である。
【００６２】
（実施形態５）
実施形態４の構成では、間仕切り５の位置を検出するためにあらかじめ定めた位置Ｅ１〜Ｅ５に位置検出部６１を設けているが、本実施形態は、実施形態３と同様に測距センサを設けることによって間仕切り５の位置を検出するものである。ここでは、説明を簡単にするために、図６の左右方向に沿って配置されるレール上を１枚の間仕切り５がスライド自在に移動することによって、部屋を左右に分割する場合について説明する。この場合、間仕切り５が１枚であるから測距センサ７は１台あればよい。測距センサ７は、間仕切り５との距離を計測することによって、基準位置Ｅ０からの間仕切り５の位置を求めるものである。また、親機１には図６の左右方向における照明器具３の長さ寸法Ｌ１と照明器具３の配置間隔Ｌ２（基準位置Ｅ０から照明器具３の一端までの距離と、左右方向に隣接する一対の照明器具３の各一端間の距離とは等しいものとする）とが与えられているものとする。
【００６３】
本実施形態では、使用者が所望位置に間仕切り５を移動させると、測距センサ７により間仕切り５までの距離が計測される（計測のためのトリガは親機１で与えるようにすればよいが、所定の時間間隔で計測を繰り返すようにしてよい）。測距センサ７から間仕切り５までの距離がわかれば、親機１では距離の演算によって、間仕切り５が、照明器具３に重なっている位置であるか、隣接する一対の照明器具３の間に位置しているかがを認識することができる。したがって、間仕切り５が隣接する一対の照明器具３の間に位置していれば、当該位置を実施形態４の位置Ｅ１〜Ｅ５と読み替えることによって、ゾーンを自動的に設定することが可能になる。ただし、本実施形態の構成では、間仕切り５を規定した位置から選択して設置するのではなく、図６における左右方向の任意の位置に間仕切り５を配置可能としているから、照明器具３の位置に間仕切り５が重なることがある。そこで、照明器具３の位置に間仕切り５が重なる場合に当該照明器具３を点灯させるか、消灯させるかの別、および点灯の場合に間仕切り５に対して左右どちらの空間に含めるかなどを設定可能としておく。このような設定は、親機１または間仕切り子機６において行えるようにしておく。
【００６４】
間仕切り子機６において設定可能とする場合には、間仕切り子機６に設けた操作部（図示せず）によって、照明器具３を点灯させるか消灯させるかの選択を行い、測距センサ７により計測した距離だけではなく、選択した情報も併せて親機１に送信する。親機１では、受信した情報に基づいて、間仕切り５の位置に属する照明器具３のアドレスに対して「消灯」であれば、これらの照明器具３はゾーンに含めず、「点灯」であれば、これらの照明器具３を間仕切り５により分割されている２空間のいずれかに所属させて実施形態４と同様にしてゾーンを自動的に設定する。
【００６５】
一方、親機１において間仕切り５に重なる照明器具３の点灯と消灯とを選択可能にしている場合には、操作部２１に設けた液晶表示器ＤＰとスイッチＳＷ１とを用いて間仕切り５に重なる照明器具３を点灯させるか消灯させるかをあらかじめ選択しておき、測距センサ７から間仕切り５までの距離の計測結果を受け取ったときに、間仕切り５が照明器具３に重なっているか否かの判断とともに、重なっている場合には選択されている条件に従ってゾーンを自動的に決定する。他の構成および動作は実施形態４と同様である。
【００６６】
（実施形態６）
上述した各実施形態では、間仕切り５を用いて部屋を複数の空間に分割する場合に、間仕切り５の位置に応じて各子機２で選択可能な調光レベルを変更していたが、本実施形態では間仕切りを用いずに照明空間の適宜箇所に設けたセンサで検知する情報に基づいて照明器具３の調光レベルを変更するものである。したがって、本実施形態の対象となる照明空間は部屋に限らず、１つのフロアを共有する照明空間に適用可能である。
【００６７】
本実施形態では、図７に示すように、各エリアＡ１〜Ａ３にそれぞれセンサ８が配置される。各センサ８は、信号線４に接続され検出した情報を親機１に伝送する機能を有する。つまり、各センサ８には照明器具３と同様にアドレスが設定される。親機１はフェーダを備えており、フェーダを用いることによって照明器具３の調光レベルを調節することが可能になっている。
【００６８】
センサ８は、人感センサと明るさセンサとの少なくとも一方を想定しており、図８に示すように、センシングを行う検知部８１と、信号線４に接続され検知部８１での検知結果を親機１に通知するための通信部８２とを備える。センサ８が人感センサであれば、検知部８１は、センサ８を設けている各エリアＡ１〜Ａ３内の人の存否を検出し、センサ８が明るさセンサであれば、検知部８１は、センサ８の設置位置（各エリアＡ１〜Ａ３を代表する部位）の明るさを検出する。図示例では各エリアＡ１〜Ａ３がそれぞれ２個のゾーンＺ１１，Ｚ１２，Ｚ２１，Ｚ２２，Ｚ３１，Ｚ３２からなり、センサ８は実施形態１の子機２に相当するから、エリアＡ１〜Ａ３を単位としてアドレスが設定される。以下では、センサ８のアドレスをセンサアドレスと呼ぶ。
【００６９】
照明器具３には、実施形態１と同様に、ゾーンＺ１１，Ｚ１２，Ｚ２１，Ｚ２２，Ｚ３１，Ｚ３２を単位とするゾーンアドレスが設定される。また、各センサ８のセンサアドレスは、たとえば表２に示すように、当該センサ８を配置したエリアＡ１〜Ａ３を形成する２個ずつのゾーンＺ１１，Ｚ１２，Ｚ２１，Ｚ２２，Ｚ３１，Ｚ３２のゾーンアドレスに対応付けられ、かつ各ゾーンＺ１１，Ｚ１２，Ｚ２１，Ｚ２２，Ｚ３１，Ｚ３２の照明器具３に与える調光レベルに対応付けられる。すなわち、本実施形態では親機１の調光シーン設定テーブルが表２のような内容になる。表２はセンサ８が人感センサである場合であって、各センサ８が人の存在を検知したときの各ゾーンＺ１１，Ｚ１２，Ｚ２１，Ｚ２２，Ｚ３１，Ｚ３２の調光レベルを示しているが、センサ８が明るさセンサである場合には、閾値を設定することによって、センサ８での検出値と閾値との大小に応じて調光レベルを設定したり、検出される明るさを複数区間に分割して各区間ごとに調光レベルを設定したりする。
【００７０】
【表２】
2005135658.tif 000004
【００７１】
親機１から照明器具３に対して実施形態１と同様にゾーンアドレスを用いて調光レベルを与えるから、親機１から照明器具３への伝送信号には、送信元のアドレスは不要であって、たとえば、図９に示すように、スタートビットＳＴとストップビットＳＰとの間に、送信先アドレスデータＡＤと調光レベルデータ（ＬＶ）とを含んでいればよい。
【００７２】
ここでは、エリアＡ１に配置したセンサ８（表２ではセンサ（エリアＡ１）として示している）により人の存在が検出される場合を例として動作を説明する。この場合、センサアドレスがエリアＡ１に対応しているセンサ８から親機１に対して人の検出が通知されるから、親機１では表２のような調光シーン設定テーブルを参照することによって、２個のゾーンＺ１１，Ｚ１２にそれぞれ１００％の調光レベルを与えることを抽出する。抽出された情報に従って、親機１はゾーンアドレスを用いて各ゾーンＺ１１，Ｚ１２の照明器具３にアクセスし、各ゾーンＺ１１，Ｚ１２ごとに１００％の調光レベルを与える。エリアＡ２，Ａ３に配置したセンサ８から人の検出が通知された場合も同様であって、調光シーン設定テーブルを参照することで、調光レベルを伝送すべきゾーンＺ１１，Ｚ１２，Ｚ２１，Ｚ２２，Ｚ３１，Ｚ３２および与える調光レベルを決定する。なお、本実施形態では、センサ８で人が検出されると、当該センサ８を配置したゾーンＺ１１，Ｚ１２，Ｚ２１，Ｚ２２，Ｚ３１，Ｚ３２の照明器具３のみを対象として調光レベルを与えているが、調光シーン設定テーブルを適宜に設定することによって、他のゾーンＺ１１，Ｚ１２，Ｚ２１，Ｚ２２，Ｚ３１，Ｚ３２の照明器具３にも調光レベルを与えることが可能である。
【００７３】
本実施形態の構成では、実施形態１と同様に、照明器具３に設定したゾーンアドレスを用いて親機１から調光レベルを与えるから、親機１から照明器具３に伝送する伝送信号には送信元の情報を含める必要がない上に、１回のアクセスで複数台の照明器具３に調光レベルを同時に与えることができ、センサ８での検出結果に照明器具３の動作を対応付けることは、親機１に設けた調光シーン設定テーブルが行うから、各照明器具３に個別に調光レベルをあらかじめ設定しておくことなく、所望の照明器具３をセンサ８の検出に連動させて所望の調光レベルで点灯させることが可能になる。なお、本実施形態において子機２を設ける場合には、子機２のアドレスをセンサ８のアドレスとは別に設定し、また子機２でのスイッチＳＷ２の操作とセンサ８で検出した情報との組合せ方を親機１において規定しておくことが必要になる。さらに、本実施形態では各エリアＡ１〜Ａ３に２個ずつのゾーンＺ１１，Ｚ１２，Ｚ２１，Ｚ２２，Ｚ３１，Ｚ３２を設定しているが、ゾーンＺ１１，Ｚ１２，Ｚ２１，Ｚ２２，Ｚ３１，Ｚ３２の設定方法は実施形態１と同様であって、本実施形態に限定されるものではない。他の構成および動作は実施形態１と同様である。
【００７４】
（実施形態７）
本実施形態は、実施形態６と同様に、センサ８の出力に基づいて照明器具３に与える調光レベルを決定するものであって、センサ８には人感センサを用いている。したがって、本実施形態においても図７を参照する。いま、人が移動する場合を想定すると、人の移動に伴って各照明器具３の調光レベルを変化させたい場合と変化させたくない場合とが生じる。そこで、本実施形態では、人の存在・不在を検出する検知部８１を備えた人感センサとしての各センサ８において、人の存在を検出している状態から不在になった時点で親機１にただちに通知するのではなく、人が不在になったことを検出してから所定時間の経過後に親機１に通知するためにタイマを設けている。
【００７５】
本実施形態では、親機１において表３に示す内容の調光シーン設定テーブルが設定されているものとする。表３の例では、エリアＡ１とエリアＡ２とに設けたセンサ８の一方で人が検出されると、ゾーンＺ１１，Ｚ１２の照明器具が１００％で点灯し、ゾーンＺ２１，Ｚ２２の照明器具３が７０％で点灯する。また、エリアＡ３に設けたセンサ８で人が検出されるとゾーンＺ３１の照明器具３が７０％で点灯し、ゾーンＺ３２の照明器具３が１００％で点灯する。この例では、人がエリアＡ１からエリアＡ２に移動したり、エリアＡ２からエリアＡ１に移動したりすることによって、センサ８に内蔵したタイマの時限が終了しても、照明器具３の光出力に変化は生じない。たとえば、人がエリアＡ１からエリアＡ２に移動した場合を想定すると、エリアＡ１に存在するセンサ８で人が検知されなくなってからタイマの時限時間が経過したとしても、エリアＡ２に設けたセンサ８で人が検知されているから、表３のような調光シーン設定テーブルを参照することによって、照明器具３の光出力に変化を与えないのである。言い換えると、エリアＡ１，Ａ２に関して表３のように各ゾーンＺ１１，Ｚ１２，Ｚ２１，Ｚ２２の調光レベルを等しく設定しておけば、両エリアＡ１，Ａ２のセンサ８は等価になり、センサ８を並列接続した場合と同様の制御が可能になる。
【００７６】
【表３】
2005135658.tif 000005
【００７７】
一方、エリアＡ１に存在するセンサ８で人が検出されなくなってからタイマの時限時間が経過した時点で、他のエリアＡ２，Ａ３のセンサ８においても人が検出されなければ、表３において照明器具３の点灯を指示する組合せがないから、親機１ではすべての照明器具３を消灯させる。図７に示す例では、１個のエリアＡ１〜Ａ３に１個のセンサ８を配置しているが、１個のエリアＡ１〜Ａ３に複数個のセンサ８を配置することも可能である。この場合には、各エリアＡ１〜Ａ３に設けた複数個のセンサ８のいずれもが人を検出しない状態（タイマが時限動作した場合は時限動作の終了後）に、当該エリアＡ１〜Ａ３に人が存在しなくなったと判断する。
【００７８】
本実施形態の構成では、複数個のエリアＡ１〜Ａ３に存在するセンサ８を等価に扱うことができ、２個のエリアＡ１〜Ａ３に存在するセンサ８の検出結果に基づいて、両エリアＡ１〜Ａ３の照明器具３の調光レベルを変更せず、あたかも両センサ８が並列接続されているかのように照明器具３の調光レベルを制御することが可能になる。その結果、たとえば、エリアＡ１に存在するセンサ８が人を検出することによりエリアＡ１，Ａ２の照明器具３を点灯させた後、エリアＡ１（エリアＡ１のセンサ８による人の検知範囲）から人が移動し、エリアＡ２に設けたセンサ８により人が検知されるようになると、エリアＡ１に人がまだ残っているにもかかわらず照明器具３が消灯してしまうという不都合を回避することができる。また、センサ８での検出結果は親機１において組み合わせているから、照明器具３においては調光レベルを親機１から受け取るのみであって、照明器具３ではセンサ８の検出結果に対する判断が不要であるから、照明負荷３の点灯状態をセンサ８での検出結果に連動させる構成を容易かつ安価に実現できる。他の構成および動作は実施形態６と同様である。
【００７９】
（実施形態８）
本実施形態は、図１０に示すように、２個のエリアＡ１，Ａ２を有し、エリアＡ１に４個のゾーンＺ１１〜Ｚ１４を設け、エリアＡ２に２個のゾーンＺ２１，Ｚ２２を設けている。また、エリアＡ１には２台の子機２を配置している。各子機２は親機１に設けたフェーダと同様に、照明器具３の調光レベルを指示可能な操作部２１を備える。ここでは、操作部２１として調光レベルを増加させるアップスイッチと調光レベルを減少させるダウンスイッチとを備えるものを想定する。アップスイッチおよびダウンスイッチは、１回の押操作によって調光レベルを規定の１段階だけ増減させ、また規定時間を超えて押操作を継続すると調光レベルを連続的に増減させる機能を備える。
【００８０】
本実施形態は、実施形態６および実施形態７と同様に、センサ８を備える。図示例では、ゾーンＺ１２，Ｚ２２，Ｚ３２にそれぞれセンサ８を配置しており、ゾーンＺ１２に配置したセンサ８は明るさセンサであり、ゾーンＺ２２，Ｚ３２に配置したセンサは人感センサになっている。つまり、エリアＡ１には明るさセンサと人感センサとが配置される。明るさセンサは、床面や机上面の照度を検出するものであって天井に設置され、鉛直下方の照度を監視する。本実施形態は、明るさセンサで検出される照度を一定に保つように照明器具３の調光レベルを制御する機能を備える。ここでは、ゾーンＺ１１，Ｚ１２の照明器具３について明るさセンサによる調光レベルの制御を行い、ゾーンＺ２１，Ｚ２２，Ｚ３１，Ｚ３２の照明器具３について人感センサによる制御を行うものとする。
【００８１】
親機１には、調光シーン設定テーブルとして、表４のような内容が設定される。表４を表２と比較すればわかるように、明るさセンサが制御の対象とするゾーンＺ１１，Ｚ１２の照明器具３に対しては「連動禁止」が指定してあり、人感センサが制御の対象とするゾーンＺ２１，Ｚ２２，Ｚ３１，Ｚ３２の照明器具３に対してはそれぞれ調光レベルが設定される。「連動禁止」が指定されているゾーンＺ１１，Ｚ１２の照明器具３については、親機１から照明器具３への調光レベルの送信が禁止される。また、調光シーン設定テーブルの内容を設定する際には、センサ８として明るさセンサが登録され、明るさセンサに対応付けるゾーンＺ１１，Ｚ１２が入力されると、当該ゾーンＺ１１，Ｚ１２については、調光レベルの入力を禁止するようになっている。
【００８２】
【表４】
2005135658.tif 000006
【００８３】
明るさセンサは、明るさセンサによる制御の対象であるゾーンＺ１１，Ｚ１２の照明器具３に対して親機１を介さずに検出値を直接伝送し、照明器具３の調光レベルを制御する。つまり、明るさセンサには制御の対象となるゾーンＺ１１，Ｚ１２のゾーンアドレスが登録されており、当該ゾーンアドレスを指定して検出値を信号線４に送出するのである。また、明るさセンサには、照度の目標値が設定されており、検出値が目標値に保たれるように照明器具３に対する調光レベルを指示する。
【００８４】
なお、親機１から照明器具３およびセンサ８にゾーンアドレスを設定する場合には、照明器具３に対して明るさセンサに設定されるゾーンアドレスと同じゾーンアドレスの設定を許容する機能を親機１に設けておき、ゾーンアドレスの設定を行う際に、明るさセンサと明るさセンサが制御の対象とする照明器具３に同一のゾーンアドレスを設定する。明るさセンサと照明器具３とに、このような関連付けを行うことによって、親機１を介さずに明るさセンサから照明器具３に対して調光レベルを直接伝送することが可能になる。人感センサに基づく制御は、実施形態６または実施形態７と同様の動作になる。
【００８５】
本実施形態の構成では、親機１に設けた調光シーン設定テーブルにおいて「連動禁止」の設定を可能とし、「連動禁止」が設定されているゾーンＺ１１，Ｚ１２に対しては、親機１において調光シーン設定テーブルに対して調光レベルの設定を禁止するとともに、親機１から照明器具３への調光レベルの送信も禁止する。一方、明るさセンサと明るさセンサの制御対象である照明器具３とには同じゾーンアドレスを設定し、明るさセンサから照明器具３に調光レベルを直接伝送する。このような動作によって、センサ８に連動させて照明器具３の調光レベルを制御する際に、すべてのセンサ８での検出情報を親機１に通知する場合に比較して、親機１での信号処理の負荷が軽減されるとともに、信号線４のトラフィックを低減することができ、とくに明るさセンサの検出値のように連続的に伝送する場合に、親機１における信号処理の負荷および信号線４のトラフィックの軽減効果が高くなる。他の構成および動作は実施形態６と同様である。
【００８６】
（実施形態９）
本実施形態は、特定の照明器具３に設定されているゾーンアドレスの確認を容易にするための技術であって、特定のゾーンＺ１〜Ｚ６に属する照明器具３のゾーンアドレスを取得するために、親機１との間で無線（赤外線または電波）によるデータ通信が可能なリモコン装置９を用いる。リモコン装置９は親機１の動作モードを切り換える機能と、親機１からゾーンアドレスを受信する機能を有する。
【００８７】
リモコン装置９は、図１１に示すように、マイコンを用いた制御部９０を備え、スイッチからなる操作部９１の操作に対応した処理を行う。制御部９０には通信部９２が接続され、通信部９２では赤外線または電波を媒体として双方向のデータ通信を行う。また、制御部９０には、必要に応じて液晶表示器のような表示部９３が接続される。表示部９３を設ける場合には、通信部９２で受信した受信内容を表示する。また、表示部９３に代えて受信を報知するブザーを設けてもよい。リモコン装置９の内部回路には電池を備えた電源部９４から給電される。
【００８８】
本実施形態では、図１２に示すように、各照明器具３に、それぞれ個別のアドレスが設定されており（照明器具３の個別のアドレスを「ＡＤＤ：ｎ」という形で示している）、また、各照明器具３および各センサ８にはそれぞれ異なるゾーンアドレスが設定されているものとする。個別のアドレスおよびゾーンアドレスは、照明器具３およびセンサ８に設けた不揮発性のメモリからなる記憶部に格納される。センサ８としては人感センサを用いる。図１２に示す例では、２４台の照明器具３を配置し、４台の照明器具３ごとに１台のセンサ８を配置している。つまり、照明器具３は４行６列になるようにマトリクス状に配列してあり、２行２列の照明器具３によって１つのゾーンＺ１〜Ｚ６を形成し、各ゾーンＺ１〜Ｚ６の中央にセンサ８を配置してある。
【００８９】
リモコン装置９を用いて各照明器具３のゾーンアドレスを獲得する手順を以下に説明する。この作業を行うために、まず、リモコン装置９を操作することによって親機１を特定情報取得モードに移行させる。リモコン装置９は、親機１に対して特定情報取得モードへの切換を指示すると一定時間後に受信待機の状態に移行する。
【００９０】
一方、リモコン装置９から特定情報取得モードへの移行が指示された親機１は、すべての照明器具３およびセンサ８に対して、特定情報取得モードのコマンドを送信する。照明器具３およびセンサ８は特定情報取得モードのコマンドを受信すると、その時点の制御状態を変更することなく維持する。ただし、後述するようにリモコン装置９を携帯する使用者が所望のセンサ８の近傍に到達するまでは特定情報取得モードに移行しないように、特定情報取得モードのコマンドを受信した照明器具３およびセンサ８では、一定時間後にモードの移行を実施する。
【００９１】
リモコン装置９を携帯する使用者が所望のセンサ８の近傍（センサ８を含むゾーンＺ１〜Ｚ６内）に移動し、手を振るなどの動作を行うことによって、当該センサ８において人の存在が検出される（ここでは、焦電型赤外線センサのような微分型の検知部８１を備えている場合を想定している）。センサ８では、特定情報取得モードにおいて人を検出すると、人の検出をゾーンアドレスとともに親機１に通知する。親機１には、照明器具３およびセンサ９のゾーンアドレスとゾーンＺ１〜Ｚ６との対応関係があらかじめ記憶されているから、センサ８からゾーンアドレスが通知されると、どのゾーンＺ１〜Ｚ６に対応するかを読み出す。また、ゾーンＺ１〜Ｚ６がわかれば、ゾーンＺ１〜Ｚ６に属する照明器具３の固有のアドレスやゾーンアドレスを親機１の記憶内容から獲得することができる。
【００９２】
親機１においてゾーンＺ１〜Ｚ６が特定されると、親機１は特定情報取得モードを解除するコマンドを各照明器具３およびセンサ８に送信する。つまり、照明器具３およびセンサ８は通常の動作が可能になる。このように、親機１においてゾーンＺ１〜Ｚ６を獲得した後に特定情報取得モードをすぐに解除しているのは、特定情報取得モードを長時間にわたって継続すると、親機１に対して人の検出が何度も通知され、親機１での処理が煩雑になるからである。
【００９３】
特定情報取得モードの解除後に、親機１は、センサ８のゾーンＺ１〜Ｚ６を受信したことをリモコン装置９に通知する。リモコン装置９では、親機１からの通知を受信すると、受信待機の状態から送信可能な状態に復帰する。ここに、親機１が獲得したゾーンＺ１〜Ｚ６と照明器具３の個別のアドレスおよびゾーンアドレスとは親機１に表示してもよいが、親機１からリモコン装置９にゾーンＺ１〜Ｚ６と照明器具３の固有のアドレスとゾーンアドレスとを転送することによってリモコン装置９にゾーンＺ１〜Ｚ６と照明器具３の固有のアドレスおよびゾーンアドレスを表示するようにすれば利便性が高まる。
【００９４】
なお、上述した例では、リモコン装置９を送信可能な状態と受信待機の状態とに切り換えるようにしているが、リモコン装置９において送信と受信とを各別に行うことを可能とした構成であれば、状態の切換は必ずしも必要ではない。もっとも、受信待機の状態においてノイズを受信することによる誤動作を生じることもあるから、受信待機の期間を制限するほうが不要な情報を受信する可能性を低減することができる。
【００９５】
上述した構成を採用することにより、センサ８が属するゾーンＺ１〜Ｚ６と照明器具３の固有のアドレスおよびゾーンアドレスとを容易に獲得することができ、利便性が高くなる。すなわち、一般的に照明器具３およびセンサ８に設定した固有のアドレスやゾーンアドレスを取得しようとすれば、これらの情報の設定時に紙などに書き写すような作業が必要であるが、本実施形態の構成を採用することによって、リモコン装置９を用いて必要な情報を必要なときに獲得できるから、書き写しの作業が不要になる。また、リモコン装置９の操作によって獲得される照明器具３の個別のアドレスとゾーンアドレスとセンサ８のゾーンアドレスとは、人の位置に対応付けられるから、位置情報を親機１などに登録しておく必要がなく、親機１でのデータの設定作業が容易になる。また、親機１またはリモコン装置９において獲得した情報を表示させるから、照明器具３やセンサ８に表示する必要がなく、照明器具３やセンサ８に表示用の部材を設けることによるコスト増が生じない。
【００９６】
なお、人感センサに代えて明るさセンサを用いるようにし、明るさセンサに対して光ビームを照射するなどして明るさセンサを指定すれば、明るさセンサを人感センサと同様に用いることが可能である。また、上述の例は、照明器具３のゾーンアドレスとセンサ８のゾーンアドレスとが異なる場合を例示したが、両者が同じである場合には、センサ８のゾーンアドレスが明器具３のゾーンアドレスであるから、親機１においてセンサ８のゾーンアドレスをゾーンＺ１〜Ｚ６に対応付けて登録する作業が不要になる。他の構成および動作は他の実施形態と同様である。
【００９７】
（実施形態１０）
実施形態９ではリモコン装置９が親機１ととの間で無線によるデータ通信を行っているから、リモコン装置９と親機１との間の距離が大きくなることがあり、低コストで実現できる赤外線を伝送媒体とするときにデータ通信が困難になることがある。そこで、本実施形態では、照明器具３からリモコン装置９に対して赤外線によるデータ通信を可能としている。また、照明器具３にはセンサ８から人の検出が通知される端子が信号線４に接続される端子とは別に設けられる。また、リモコン装置９には表示機能を備えるものを用いる。
【００９８】
実施形態９と同様に、リモコン装置９から親機１に対して特定情報取得モードを指示し、リモコン装置９を携帯する使用者が所望のセンサ８の近傍に移動し当該センサ８によって検出されると、センサ８のゾーンアドレスが親機１に通知される。本実施形態では、センサ８が人を検出すると、センサ８と同ゾーンＺ１〜Ｚ６（図１２参照）に配置された照明器具３に対しても人の検出を通知するのであって、照明器具３ではセンサ８から人の検出が通知されると、リモコン装置９に対して無線によって個別のアドレスやゾーンアドレスを通知する。リモコン装置９は照明器具３から情報を受け取ると、送信可能な状態に復帰する。また、親機１にはセンサ８から人の検出が通知されているから、親機１において特定情報取得モードの解除が可能になる。
【００９９】
このような構成を採用することによって、親機１とリモコン装置９との間のデータ通信の経路のうち無線を用いる距離が短くなり、比較的広い空間であってもリモコン装置９において赤外線を伝送媒体に用いることが可能になる。
【０１００】
本実施形態では、照明器具３はリモコン装置９に対しては無線による送信のみを可能としているのであって、リモコン装置９から無線による指示を受信してゾーンアドレスをリモコン装置９に直接返送する機能は設けていない。これは、リモコン装置９から赤外線によって照明器具３に対する指示を与えると、複数台の照明器具３が指示を受信する可能性があり、どの位置の照明器具３が指示を受信したかを特定することができなくなるからである。一方、このような混信を避けるには、特定の照明器具３にのみリモコン装置９からの指示を受ける受信部を設けることが考えられるが、照明器具３の設置時に照明器具３ごとに配置を考慮することが必要になり、施工作業が面倒になる。また、無線として電波を用いる場合には、電波法の規定によって、送信元および送信先のＩＤをあらかじめ登録しなければならず照明器具３の台数が多くなれば登録作業が面倒である。さらに、ＩＤを登録する必要のない微弱な電波を使用することも考えられるが、この場合には赤外線を用いる場合と同様な問題が生じる。
【０１０１】
本実施形態では、センサ８により人が検出されると、センサ８と同ゾーンＺ１〜Ｚ６に属する照明器具３から固有のアドレスやゾーンアドレスがリモコン装置９に表示されるから、混信の可能性がなく、しかも赤外線を伝送媒体として用いることができるから、比較的低コストで実現できる上に施工時の手間が低減される。他の構成および動作は実施形態９と同様である。
【０１０２】
なお、本実施形態において、リモコン装置９が獲得した情報を、作業の終了後に無線を用いて親機１に伝送することによって親機１に表示させるようにすることも可能である。この場合、リモコン装置９からはゾーンアドレスのみを親機１に伝送すれば、親機１に格納されているデータをゾーンアドレスで検索することにより必要な情報を親機１に表示することができる。
【０１０３】
実施形態９、実施形態１０では、ゾーンアドレスをリモコン装置９によって獲得する技術について説明したが、ゾーンアドレスを獲得する目的は、当該ゾーンＺ１〜Ｚ６の照明器具３を制御することであるから、たとえば、特定情報取得モードの解除と同時にゾーンアドレスを指定して点灯や消灯といった制御内容を送信し、ゾーンアドレスにより指定されたゾーンＺ１〜Ｚ６の照明器具３において制御内容を実行してもよい。
【０１０４】
（実施形態１１）
上述した各実施形態では、親機１を１台だけ用いる場合を示したが、本実施形態では、図１３に示すように、複数台（図示例は２台）の親機１ａ，１ｂを連携させる場合について説明する。以下では、各親機１ａ，１ｂに信号線４を介して接続されている照明器具３を配置した空間をフロアＦａ，Ｆｂと呼ぶことにする。両フロアＦａ，Ｆｂの間はフロア間仕切り５１により分割可能になっている。両親機１ａ，１ｂは信号線４とは別に設けた通信線４１を介して接続され、各親機１ａ，１ｂにそれぞれ設定した個別ＩＤを用いて相互にデータ通信が可能になっている。また、各フロアＦａ，Ｆｂは、それぞれ３個のエリアＡ１ａ〜Ａ３ａ，Ａ１ｂ〜Ａ３ｂを有し、各エリアＡ１ａ〜Ａ３ａ，Ａ１ｂ〜Ａ３ｂ間は間仕切り５により分割可能になっている。間仕切り５とフロア間仕切り５１とはともに可動であって、フロア間仕切り５１が設置されている場合には、各フロアＦａ，Ｆｂごとに独立して親機１ａ，１ｂが照明器具３を制御するのであって、各フロアＦａ，Ｆｂごとの照明器具３の制御は実施形態６と同様になる。親機１に設けた記憶部１３（図１参照）にはメイン領域とサブ領域とが設けられており、フロアＦａ，Ｆｂをフロア間仕切り５１により分割する際にはメイン領域のみのデータを用い、フロア間仕切り５１を取り除いて両フロアＦａ，Ｆｂを連結したときにはサブ領域のデータを併せて用いる。
【０１０５】
フロア間仕切り５１を用いる場合の動作は実施形態６と同様であるから、以下では、フロア間仕切り５１を取り除いて両フロアＦａ，Ｆｂを１つの空間として使用する場合について説明する。この場合、まず親機１ａ，１ｂに対してフロア間仕切り５１を取り除いたことが通知される。フロア間仕切り５１を取り除いたことの通知は、各親機１ａ，１ｂを操作することによって行うことができるが、フロア間仕切り５１の位置を検出する手段（実施形態２，３などにおいて説明した位置検出部や測距センサなど）によって通知を自動化するのが望ましい。両親機１ａ，１ｂでは通信線４１を通して互いの個別ＩＤを交換することによりリンクを確立する。
【０１０６】
リンクが確立されると親機１ａ，１ｂにおいて記憶部１３のメイン領域に格納されている調光シーン設定テーブルのデータのうち、各親機１ａ，１ｂが管理している各エリアＡ１ａ〜Ａ３ａ，Ａ１ｂ〜Ａ３ｂを形成するゾーンＺ１１ａ，Ｚ１２ａ，Ｚ２１ａ，Ｚ２２ａ，Ｚ３１ａ，Ｚ３２ａ，Ｚ１１ｂ，Ｚ１２ｂ，Ｚ２１ｂ，Ｚ２２ｂ，Ｚ３１ｂ，Ｚ３２ｂのゾーンアドレスと、各ゾーンアドレスに調光レベルが設定されているか否かの情報を交換し、各親機１ａ，１ｂでは互いに他方の親機１ａ，１ｂから受け取った情報を、他方の親機１ａ，１ｂに関する管理情報として記憶部１３のサブ領域に格納する。
【０１０７】
たとえば、各親機１ａ，１ｂにおいて記憶部１３のメイン領域に表５、表６のような調光シーン設定テーブルがそれぞれ設定されているとすると、親機１ａから親機１ｂに送信される情報によって親機１ｂのサブ領域に格納される管理情報は、表７のようになる。
【０１０８】
【表５】
2005135658.tif 000007
【０１０９】
【表６】
2005135658.tif 000008
【０１１０】
【表７】
2005135658.tif 000009
【０１１１】
上述のようにして、各親機１ａ，１ｂが互いに他方の親機１ａ，１ｂの調光シーン設定テーブルにおいて各ゾーンアドレスに調光レベルが設定されているか否かの情報を持つことによって、互いに他方の親機１ａ，１ｂに設定されている情報を利用することが可能になる。つまり、親機１ａ，１ｂに対して信号線４を通して接続されていない照明器具３であっても、互いに他方の親機１ａ，１ｂを通して制御することが可能になる。
【０１１２】
いま、親機１ｂを用い、親機１ａが管理しているフロアＦａ内のゾーンＺ１１ａ，Ｚ１２ａに属する照明器具３に調光レベルを与える場合を例として説明する。親機１ｂの記憶部１３のサブ領域には親機１ａから伝送された管理情報が格納されており、ゾーンＺ１１ａ，Ｚ１２ａの照明器具３を親機１ａによって制御可能であることを認識しているから、ゾーンＺ１１ａ，Ｚ１２ａの照明器具３を制御対象として選択することができる。実施形態１において説明したように、各ゾーンＺ１１ａ，Ｚ１２ａについては５種類のシーンＳ１〜Ｓ５を選択可能であるから、親機１ｂにおいてフロアＦａのゾーンＺ１１ａ，Ｚ１２ａについて、シーンＳ１を選択することができる。
【０１１３】
親機１ｂがフロアＦａのゾーンＺ１１ａ，Ｚ１２ａについてシーンＳ１を選択すると、親機１ｂ（制御部１０（図１参照））では、親機１ａの個別ＩＤ（Ｍ−ＩＤ）とゾーンＺ１１ａ，Ｚ１２ａのゾーンアドレス（Ｚ−ＡＤＤ）と選択したシーンの種類（ＳＣ）とを含む電文を生成し、この電文に図１４に示すようにスタートビットＳＴとストップビットＳＰとを付加した形式の伝送信号を、親機１ｂから親機１ａに対して通信線４１を通して送信する。親機１ａでは、親機１ｂから送信された図１４のような伝送信号を受信すると、個別ＩＤによって親機１ａに対する指示であることを認識し、さらにゾーンアドレス（Ｚ−ＡＤＤ）とシーンの種類（ＳＣ）とを用いて、調光シーン設定テーブルから指示内容に対応した調光レベルを抽出する。調光シーン設定テーブルから調光レベルを抽出した後の処理は、親機１ａを単独で用いる場合と同様であって、表５に示した例では、ゾーンＺ１１ａ，Ｚ１２ａに対してそれぞれ調光レベルを１００％とする指示を与える。
【０１１４】
上述したように、親機１ａ，１ｂが互いに他方の調光シーン設定テーブルで管理している照明器具３に対して調光レベルを指示する場合には、先に操作された親機１ａ，１ｂがマスタとなり、マスタからの指示を受けた親機１ａ，１ｂがスレーブとなって、各フロアＦａ，Ｆｂに配置された照明器具３の調光レベルが制御される。
【０１１５】
上述した例では、親機１ａ，１ｂが２台である場合を例示したが、親機を３台以上設ける場合でも、２台の親機１ａ，１ｂを用いる場合と同様に、各親機が互いの調光シーン設定テーブルにおけるデータの設定状態を保有することによって、どの親機からもすべての照明器具３の制御が可能になる。
【０１１６】
本実施形態の構成を採用することによって、１つの空間に設けた照明器具３を複数台の親機で制御する場合であっても、各親機の管理下である照明器具３に対して他の親機の操作によって調光レベルを与えることができる。たとえば、１台の親機において管理可能な照明器具３の台数に制限がある場合（たとえば、信号線４のインピーダンスにより制限される場合や、親機が管理可能なアドレスの個数により制限される場合）であっても、複数台の親機を用いることによって、制限を越えた台数の照明器具３を制御することが可能になる。しかも、各親機はマスタにもスレーブにもなるから、各親機がすべての照明器具３を管理していないにもかかわらず、空間内のすべての照明器具３に対して、どの親機の操作によっても調光レベルを与えることが可能になる。その結果、各親機に設けた記憶部１０（図１参照）の記憶容量を比較的小さくして低コストで提供可能としながらも、照明器具３を配置した空間の仕切方に応じて柔軟に対応することが可能になる。他の構成および動作は実施形態６と同様である。
【０１１７】
（実施形態１２）
上述した各実施形態では、照明器具３の点灯と消灯との切換と、点灯時の調光レベルの指定とを可能としているが、本実施形態は、照明器具３の点灯および消灯の際に、時間経過に伴って光出力を漸増または漸減するようにしたものである。つまり、フェードインおよびフェードアウトを可能としている。本実施形態では、図１５に示すように、照明器具３を７行９列のマトリクス状に配列してあり、図の縦方向において区分することにより４個のゾーンＺ１〜Z４を形成している。つまり、２行９列の照明器具３を配列した３個のゾーンＺ１〜Ｚ３と、１行９列の照明器具３を配列した１個のゾーンＺ４とを形成している。また、信号線４には親機１と子機２とを１台ずつ接続しているものとする。
【０１１８】
本実施形態の親機１は、フェードデータを記憶する機能を有している。フェードデータは時間または調光レベルの変化率として与えられており、親機１では各ゾーンＺ１〜Ｚ４に調光レベルを与えるときに、フェードインまたはフェードアウトが指定されているときには、前の調光レベルからフェードデータの時間または変化率で新たに指示された調光レベルに到達させる。フェードデータの一例を表８に示す。表８では各ゾーンＺ１〜Ｚ４に時間と変化率とを対応付けているが、時間と変化率とは一方のみでよい。時間は秒を単位とし、％で表した調光レベルの１秒当たりの変化を単位としている。
【０１１９】
【表８】
2005135658.tif 000010
【０１２０】
いま、フェードデータとして表８に示す時間を用いるものとし、子機２において１つのシーンを選択したときに、図１６（ａ）に示すように、ゾーンＺ１に与える調光レベルが３０％から７０％に変化するものとする。ゾーンＺ１に対するフェードデータは１ｓであるから、図１６（ｂ）のように、時刻ｔ０において各ゾーンＺ１〜Ｚ４に調光レベルが指示された時点では、ゾーンＺ１の調光レベルは３０％であって、時刻ｔ０から１ｓの間に一定の変化率で調光レベルを７０％に到達させる。つまり、調光レベルが４０％変化するのに１ｓを要するから変化率は４０％／ｓであり、調光レベルを指示したときに前の調光レベルと新たな調光レベルとの差が４０％であるときには、変化率を４０％／ｓと設定する場合と、時間を１ｓと設定する場合とは等価になる。ただし、調光レベルを指示したときに前の調光レベルと新たな調光レベルとの差が４０％でなければ、フェードデータを時間で与える場合と変化率で与える場合とで光出力の変化率が異なるのは言うまでもない。同様にして、ゾーンＺ２〜Ｚ４についても、それぞれ時刻ｔ０から２ｓ後、３ｓ後、４ｓ後に与えられた調光レベルに到達する。
【０１２１】
一方、時刻ｔ１のようにゾーンＺ１について調光レベルを７０％から３０％に変化させる指示を与えた場合には、ゾーンＺ１では時刻ｔ１から１ｓ後に調光レベルが３０％に達し、他のゾーンＺ２〜Ｚ４では、それぞれ２ｓ後、３ｓ後、４ｓ後に与えた調光レベルに達するのである。
【０１２２】
本実施形態のように、フェードデータを親機１に登録しておくことによって、ゾーンＺ１〜Ｚ４を単位としたフェードインおよびフェードアウトが可能になる。他の構成および動作は上述した他の実施形態と同様である。
【０１２３】
（実施形態１３）
実施形態１で説明した親機１の調光シーン設定テーブルでは、エリアＡ１〜Ａ３が３個である場合に、各エリアＡ１〜Ａ３ごとに５種類のシーンを選択可能とするから、１パターンについて最大では１５種類分のシーンが作成される。親機１および各子機２において、１５種類のすべてのシーンをそれぞれ選択できるように構成することは可能であるが、親機１および各子機２はエリアＡ１〜Ａ３に対応付けて配置しているから、実施形態１の構成では、親機１と各子機２とがそれぞれ選択するシーンをエリアＡ１〜Ａ３の範囲に制限している。本実施形態では、各子機２によるシーンの選択範囲を制限する技術の具体例を開示する。
【０１２４】
図１７に示すように、子機２には、設置するエリアＡ１〜Ａ３を特定するためのエリア設定部２３を設けている。エリア設定部２３はＤＩＰスイッチなどを用いて構成され、子機２の操作が有効となるエリアＡ１〜Ａ３を規定する。たとえば、各１個のエリアＡ１〜Ａ３のみを有効範囲とする場合には、エリア設定部２３では各エリアＡ１〜Ａ３を１つだけ選択し、子機２の操作の有効範囲を２個のエリアＡ１〜Ａ３とする場合には２個のエリアＡ１〜Ａ３を選択し、１台の子機２操作が３個のエリアＡ１〜Ａ３に対して有効になるようにする場合にはすべてのエリアＡ１〜Ａ３を選択する。各子機２では５種類ずつのシーン（エリアＡ１〜Ａ３内のすべての照明器具３を消灯させるシーンを含む）の選択が可能であり、さらに各子機２にはエリア設定部２３において操作の有効範囲が規定されるから、両者を組み合わせたデータを親機１に伝送することによって、親機１に登録されている調光シーン設定テーブルのシーンを特定することが可能になる。たとえば、間仕切り５によって３個のエリアＡ１〜Ａ３に分割しているときには、各エリアＡ１〜Ａ３に設けた子機２によって該当するエリアＡ１〜Ａ３とスイッチＳＷ２で選択したシーンの種類とが伝送され、表１に示したパターンＰ２のうちの１つのシーンを選択することが可能になる。
【０１２５】
一方、親機１にはスイッチと表示部とを組み合わせて構成した子機操作禁止設定部１４を設けてある。子機操作禁止設定部１４は、子機２からエリア設定部２３で設定されたエリアＡ１〜Ａ３とスイッチＳＷ２で選択したシーンの種類とが伝送されたときに、表９に示すような子機操作許可テーブルを参照して、操作を許可するか否かを判断する機能を有している。なお、表９における操作の欄の○は操作が有効であることを示し、×は操作が無効であることを示す。要するに、子機操作許可テーブルは、スイッチＳＷ２が操作された子機２が有効か無効かの判断のために用いる。ここで、子機２が無効である場合には、子機２から受信した内容を破棄する。子機２においてエラーを表示する機能を持つ場合には、親機１が子機２から受信した内容を破棄したときに子機２に対してエラーの情報を返送し、子機２に表示させるようにしてもよい。
【０１２６】
【表９】
2005135658.tif 000011
【０１２７】
上述したように親機１において子機操作禁止設定部１４を設けていることにより、１つの空間に複数台の子機２が存在するような場合に、特定の子機２のみの操作を有効にすることが可能になる。また、子機２にエリア設定部１４を設けていることによって、間仕切り５によって分割されている他の空間に子機２の操作が及ぶのを禁止することができる。他の構成および動作は実施形態１と同様である。
【０１２８】
（実施形態１４）
本実施形態は、図１８に示すように、照明器具３においてランプ３１の着脱を検出するランプ着脱検出部３４と、ランプ３１の累積点灯時間を計時する時計部３５とを設けたものである。一般に、ランプ３１の光出力は累積点灯時間に伴って減少し、初期光束に対する光出力の減衰率と累積点灯時間との関係はランプ３１の仕様によってほぼ一定であることが知られている。したがって、照明設計の際に初期光束に基づいて照明器具３の台数を決定すると、累積点灯時間が大きくなったときに設計通りの照度が得られなくなる可能性が生じる。また、ランプ３１の交換前の最終光束に基づいて照明器具３の台数を決定すると、初期照度が高くなりすぎて無駄に電力を消費することになる。
【０１２９】
そこで、本実施形態では、ランプ３１をしている間の光束の変化を低減するために、ランプ３１の交換直後においては調光レベルを低く設定し、累積点灯時間が増大するのに伴って調光レベルを高くするように制御している。時計部３５は照明器具３に電源が供給されていない期間においても累積点灯時間を保存するために、ＥＥＰＲＯＭのような不揮発性メモリを内蔵している。一方、ランプ脱着検出部３４は、たとえば、図１９に示すように、ソケット３６に押釦スイッチ３７を設けることによって実現することができ、ランプ３１の交換時に、押釦スイッチ３７からランプ３１が離れた後に、ランプ３１の装着によって押釦スイッチ３７が再び押されると、不揮発性メモリに蓄積された累積点灯時間がリセットされるようにしてある。なお、ランプ着脱検出部３４としてソケット３６に押釦スイッチ３７を設ける代わりに、手操作するスイッチを設けてもよい。
【０１３０】
照明器具３に設けた点灯回路制御部３０では、親機１から調光レベルが与えられると、時計部３５で計時している累積点灯時間に応じた倍率を乗じて実際の調光レベルを決定し、ランプ３１の交換直後から次の交換までの間の光束を略一定に保つ。このような動作によって、各照明器具３１の光出力は累積点灯時間にかかわりなく略一定に保たれるのであって、照明設計を適正に行うことが可能になり、省エネルギになる。他の構成および動作は実施形態１と同様である。
【図面の簡単な説明】
【０１３１】
【図１】実施形態１を示すブロック図である。
【図２】同上の使用例を示す配置図である。
【図３】実施形態２に用いる間仕切り子機を示すブロック図である。
【図４】実施形態３を示す配置図である。
【図５】実施形態４を示す配置図である。
【図６】実施形態５を示す配置図である。
【図７】実施形態６を示す配置図である。
【図８】同上に用いるセンサを示すブロック図である。
【図９】同上に用いる信号の形態を示す図である。
【図１０】実施形態８を示す配置図である。
【図１１】実施形態９に用いるリモコン装置を示すブロック図である。
【図１２】同上の配置図である。
【図１３】実施形態１１を示す配置図である。
【図１４】同上に用いる信号の形態を示す図である。
【図１５】実施形態１２を示す配置図である。
【図１６】同上の動作説明図である。
【図１７】実施形態１３を示すブロック図である。
【図１８】実施形態１４に用いる照明器具を示すブロック図である。
【図１９】同上の要部側面図である。
【符号の説明】
【０１３２】
１  親機
２  子機
３  照明器具
４  信号線
５  間仕切り
６  間仕切り子機
７ａ，７ｂ  測距センサ
８  センサ
９  リモコン装置
１０  制御部
１３  記憶部
１４  子機操作禁止設定部
２１  操作部
ＳＷ１，ＳＷ２  スイッチ
【図１】
2005135658.tif 000012
【図２】
2005135658.tif 000013
【図３】
2005135658.tif 000014
【図４】
2005135658.tif 000015
【図５】
2005135658.tif 000016
【図６】
2005135658.tif 000017
【図７】
2005135658.tif 000018
【図８】
2005135658.tif 000019
【図９】
2005135658.tif 000020
【図１０】
2005135658.tif 000021
【図１１】
2005135658.tif 000022
【図１２】
2005135658.tif 000023
【図１３】
2005135658.tif 000024
【図１４】
2005135658.tif 000025
【図１５】
2005135658.tif 000026
【図１６】
2005135658.tif 000027
【図１７】
2005135658.tif 000028
【図１８】
2005135658.tif 000029
【図１９】
2005135658.tif 000030